(57)【要約】  抗ＣＤ１４７モノクローナル抗体又はその断片を用い、被験者に由来する体液試料中のＣＤ１４７を発現しているエクソソーム量を測定する工程と、前記工程におけるエクソソームのシグナル強度と、対照者におけるシグナル強度とを対比する工程とを含み、前記被験者におけるシグナル強度が対照者におけるシグナル強度より強いと認められる場合が、大腸がんの存在の指標となる、大腸がんの検出方法。本発明の方法により、サンプル提供者が大腸がんを発症している可能性が高いか否かを判定することができる。これにより、サンプル提供者は癌の進行を阻止する手段を講じることができるため、有用である。【特許請求の範囲】
【請求項１】
抗ＣＤ１４７モノクローナル抗体又はその断片を用い、被験者に由来する体液試料中のＣＤ１４７を発現しているエクソソーム量を測定する工程と、
前記工程におけるエクソソームのシグナル強度と、対照者におけるシグナル強度とを対比する工程
とを含み、前記被験者におけるシグナル強度が対照者におけるシグナル強度より強いと認められる場合が、大腸がんの存在の指標となる、大腸がんの検出方法。
【請求項２】
抗ＣＤ９モノクローナル抗体及びその断片、抗ＣＤ６３モノクローナル抗体及びその断片からなる群より選ばれる少なくとも１つと、抗ＣＤ１４７モノクローナル抗体又はその断片とを用い、被験者に由来する体液試料中のＣＤ９及び／又はＣＤ６３とＣＤ１４７とを発現しているエクソソーム量を測定する工程と、
前記工程におけるエクソソームのシグナル強度と、対照者におけるシグナル強度とを対比する工程
とを含み、前記被験者におけるシグナル強度が対照者におけるシグナル強度より強いと認められる場合が、大腸がんの存在の指標となる、大腸がんの検出方法。
【請求項３】
抗ＣＤ９モノクローナル抗体及びその断片、抗ＣＤ６３モノクローナル抗体及びその断片からなる群より選ばれる少なくとも１つと、抗ＣＤ１４７モノクローナル抗体又はその断片とを用い、治療後の被験者に由来する体液試料中のＣＤ９及び／又はＣＤ６３とＣＤ１４７とを発現しているエクソソーム量を測定する工程と、
前記工程におけるエクソソームのシグナル強度と、治療前の被験者におけるシグナル強度とを対比する工程と、
を含み、治療後におけるシグナル強度が治療前におけるシグナル強度より弱いと認められる場合に、前記治療が大腸がんの治療効果を有すると評価する工程を含む、大腸がん治療の評価方法。
【請求項４】
体液試料中のエクソソーム量を測定する工程が、エクソスクリーン法又はサンドイッチＥＬＩＳＡ法を使用する請求項１〜３のいずれかに記載の方法。
【請求項５】
抗ＣＤ９モノクローナル抗体又はその断片が、受託番号ＦＥＲＭ  ＢＰ−１１５１９として寄託されているハイブリドーマにより産出されるモノクローナル抗体である請求項２〜４のいずれかに記載の方法。
【請求項６】
抗ＣＤ６３モノクローナル抗体又はその断片が、受託番号ＦＥＲＭ  ＢＰ−１１５２０として寄託されているハイブリドーマにより産出されるモノクローナル抗体又は受託番号ＦＥＲＭ  ＢＰ−１１５２１として寄託されているハイブリドーマにより産出されるモノクローナル抗体である請求項２〜４のいずれかに記載の方法。
【請求項７】
抗ＣＤ１４７モノクローナル抗体又はその断片を含有してなる、請求項１〜６のいずれかに記載の方法に使用するためのキット。
【請求項８】
抗ＣＤ９モノクローナル抗体及び／又は抗ＣＤ６３モノクローナル抗体あるいはそれらの断片と、抗ＣＤ１４７モノクローナル抗体又はその断片とを含有してなる、請求項２〜６のいずれかに記載の方法に使用するためのキット。
【請求項９】
抗ＣＤ９モノクローナル抗体及びその断片、抗ＣＤ６３モノクローナル抗体及びその断片からなる群より選ばれる少なくとも１つと、抗ＣＤ１４７モノクローナル抗体又はその断片とによって認識されるエクソソームの大腸がんのマーカーとしての使用。
【請求項１０】
抗ＣＤ９モノクローナル抗体及びその断片、抗ＣＤ６３モノクローナル抗体及びその断片からなる群より選ばれる少なくとも１つと、抗ＣＤ１４７モノクローナル抗体又はその断片とによって認識されるエクソソームを、被験者に由来する体液試料中から検出することを特徴とする、大腸がん又は大腸がんの疑いの情報を提供する方法。
【発明の詳細な説明】
【技術分野】
【０００１】
本発明は、大腸がんの検出方法に関する。さらに詳しくは、サンプル中のエクソソーム（Ｅｘｏｓｏｍｅ）表面の特定抗原（ＣＤ９、ＣＤ６３、ＣＤ１４７）に対するモノクローナル抗体又はそれらの抗体断片を用いて、大腸がんの存在を検出するための方法や大腸がんの治療効果を評価する方法、及びこれらの方法に用いるキットに関する。
【背景技術】
【０００２】
エクソソームは、生体内の体液中に存在する小胞顆粒である。エクソソーム表面には、一般的な細胞表面と同様に、種々の膜タンパク質が存在することが知られている。また、エクソソームは、種々の細胞、例えば免疫系の細胞や各種がん細胞から分泌されることが報告されており、生体内の細胞間コミュニケーションの媒介役として機能し生理現象と関連することや、がんなどの疾患との関連性が注目されている。【０００３】
例えば、非特許文献１では、卵巣がん患者の腹水と血中からエクソソームを単離し、それらが免疫系細胞へ取り込まれて免疫を抑制することで、腫瘍が増大することを報告している。エクソソームの検出には、ＣＤ２４、ＡＤＡＭ１０、ＣＤ９の抗体を用いている。【０００４】
また、特許文献１では、生体に存在する小胞の表面マーカーとして、ＣＤ９、ＣＤ３１、ＣＤ６３、ＣＤ８１、ＣＤ８２、ＣＤ３７、ＣＤ５３等を用いて各種がんの診断を行なうことが開示されている。非特許文献２では、ＨＡｂ１８Ｇ／ＣＤ１４７が２８種のがん細胞において正常細胞より多く発現していることから、該タンパク質のモノクローナル抗体を腫瘍バイオマーカーとして用いることができると開示されている。非特許文献３では、胃がん患者の血漿に存在する微小胞には、ＭＡＧＥ−１とＨＥＲ−２／ｎｅｕの発現が増加していることが報告されている。非特許文献４には、血清中のＣＡ１９−９を測定する癌抗原診断用キットが開示されている。
【先行技術文献】
【特許文献】
【０００５】
【特許文献１】ＷＯ２０１２／１１５８８５号パンフレット
【非特許文献】
【０００６】
【非特許文献１】Sascha Keller,et al.、Cancer Letters、2009、278、p73-81
【非特許文献２】Yu Li,et al.、Histopathology、2009、54、p677-687
【非特許文献３】Jaroslaw Baran,et al.、Cancer Immunol Immunother、2010、59、p841-850
【非特許文献４】アキシム(登録商標)CA 19-9ダイナパック(登録商標)添付文書、アボットジャパン株式会社
【発明の概要】
【発明が解決しようとする課題】
【０００７】
エクソソームなどの小胞顆粒に存在する膜タンパク質をバイオマーカーとして、がんを検出することは可能である。しかしながら、サンプルの種類や用いる抗体によっては、感度や特異性の変動が大きい等の理由から十分な結果を得ることが困難であり、従前からのがんの診断では、偽陽性となる場合があり、診断の精度に問題があった。よって、エクソソームを検出することで精度よくがんを検出するために、さらなる技術の開発が必要である。【０００８】
本発明の課題は、エクソソームを測定することで大腸がんを検出する方法、及び該方法に用いるキットを提供することにある。
【課題を解決するための手段】
【０００９】
本発明は、以下の〔１〕〜〔７〕に関する。
〔１〕  抗ＣＤ１４７モノクローナル抗体又はその断片を用い、被験者に由来する体液試料中のＣＤ１４７を発現しているエクソソーム量を測定する工程と、
前記工程におけるエクソソームのシグナル強度と、対照者におけるシグナル強度とを対比する工程
とを含み、前記被験者におけるシグナル強度が対照者におけるシグナル強度より強いと認められる場合が、大腸がんの存在の指標となる、大腸がんの検出方法。
〔２〕  抗ＣＤ９モノクローナル抗体及びその断片、抗ＣＤ６３モノクローナル抗体及びその断片からなる群より選ばれる少なくとも１つと、抗ＣＤ１４７モノクローナル抗体又はその断片とを用い、被験者に由来する体液試料中のＣＤ９及び／又はＣＤ６３とＣＤ１４７とを発現しているエクソソーム量を測定する工程と、
前記工程におけるエクソソームのシグナル強度と、対照者におけるシグナル強度とを対比する工程
とを含み、前記被験者におけるシグナル強度が対照者におけるシグナル強度より強いと認められる場合が、大腸がんの存在の指標となる、大腸がんの検出方法。
〔３〕  抗ＣＤ９モノクローナル抗体及びその断片、抗ＣＤ６３モノクローナル抗体及びその断片からなる群より選ばれる少なくとも１つと、抗ＣＤ１４７モノクローナル抗体又はその断片とを用い、治療後の被験者に由来する体液試料中のＣＤ９及び／又はＣＤ６３とＣＤ１４７とを発現しているエクソソーム量を測定する工程と、
前記工程におけるエクソソームのシグナル強度と、治療前の被験者におけるシグナル強度とを対比する工程と、
を含み、治療後におけるシグナル強度が治療前におけるシグナル強度より弱いと認められる場合に、前記治療が大腸がんの治療効果を有すると評価する工程を含む、大腸がん治療の評価方法。
〔４〕  抗ＣＤ１４７モノクローナル抗体又はその断片を含有してなる、前記〔１〕〜〔３〕のいずれかに記載の方法に使用するためのキット。
〔５〕  抗ＣＤ９モノクローナル抗体及び／又は抗ＣＤ６３モノクローナル抗体あるいはそれらの断片と、抗ＣＤ１４７モノクローナル抗体又はその断片とを含有してなる、前記〔２〕又は〔３〕に記載の方法に使用するためのキット。
〔６〕抗ＣＤ９モノクローナル抗体及びその断片、抗ＣＤ６３モノクローナル抗体及びその断片からなる群より選ばれる少なくとも１つと、抗ＣＤ１４７モノクローナル抗体又はその断片とによって認識されるエクソソームの大腸がんのマーカーとしての使用。
〔７〕  抗ＣＤ９モノクローナル抗体及びその断片、抗ＣＤ６３モノクローナル抗体及びその断片からなる群より選ばれる少なくとも１つと、抗ＣＤ１４７モノクローナル抗体又はその断片とによって認識されるエクソソームを、被験者に由来する体液試料中から検出することを特徴とする、大腸がん又は大腸がんの疑いの情報を提供する方法。
【発明の効果】
【００１０】
本発明の方法により、偽陽性の心配もなく、エクソソームを測定することで大腸がんを検出することができ、これにより、大腸がんの発症の有無や進行程度を判断することができる。
【図面の簡単な説明】
【００１１】
【図１】図１は、ヒト大腸癌細胞株ＨＣＴ１１６由来のエクソソームを用いたプロテオーム解析の結果を示す図である。
【図２】図２は、ウェスタンブロット法によるＣＤ１４７の検出の結果を示す図である。各レーン５００ｎｇのエクソソーム抽出液を泳動し、抗ＣＤ１４７マウスモノクローナル抗体を用いて検出した。
【図３】図３は、エクソスクリーン法を用いた大腸がん細胞株由来エクソソームにおけるＣＤ１４７の検出結果を示す図である。ビオチン化抗体；ＣＤ１４７、アクセプタービーズ結合抗体；ＣＤ９。
【図４】図４は、エクソスクリーン法を用いた大腸がん患者血清由来エクソソームにおけるＣＤ１４７の検出結果を示す図である。ビオチン化抗体；ＣＤ１４７、アクセプタービーズ結合抗体；ＣＤ６３（左図）、ＣＤ９（右図）。
【図５】図５は、エクソスクリーン法を用いた大腸がん患者血清由来エクソソームにおけるＣＤ１４７の検出結果を示す図である。ビオチン化抗体；ＣＤ１４７、アクセプタービーズ結合抗体；ＣＤ９。
【図６】図６は、大腸がん患者血清において、エクソソーム由来ＣＤ１４７、ＣＥＡ、及びＣＡ１９−９のそれぞれの検出結果を対比した図である。
【図７Ａ】図７Ａは、エクソソーム由来のＣＤ１４７を指標として大腸がんを診断した場合（図５）のＲＯＣ解析した結果を示す図である。
【図７Ｂ】図７Ｂは、ＣＥＡを指標として大腸がんを診断した場合のＲＯＣ解析した結果を示す図である。
【図７Ｃ】図７Ｃは、ＣＡ１９−９を指標として大腸がんを診断した場合のＲＯＣ解析した結果を示す図である。
【図８】図８は、エクソスクリーン法を用いた術前及び術後の大腸がん患者血清由来エクソソームにおけるＣＤ１４７の検出結果を示す図である。各データの中央部の線は、検出結果の中央値を示す。ビオチン化抗体；ＣＤ１４７、アクセプタービーズ結合抗体；ＣＤ９。
【発明を実施するための形態】
【００１２】
本発明は、被験者における大腸がんを検出するための方法であって、体液試料中のエクソソーム由来のシグナルを特定のモノクローナル抗体を用いて測定し、その値が健常人のそれより大きい場合に大腸がんに罹患している可能性があると判断することを大きな特徴とする。具体的には、特定抗原に対するモノクローナル抗体又はその断片を用い、被験者に由来する体液試料中の該抗原を発現しているエクソソーム量を測定する工程（以降、工程Ａともいう）と、前記工程におけるエクソソームのシグナル強度と、対照者におけるシグナル強度とを対比する工程（以降、工程Ｂともいう）とを含み、ここで、前記被験者におけるシグナル強度が対照者におけるシグナル強度より強いと認められる場合が、大腸がんの存在の指標となる。なお、本明細書において、大腸がんを検出するとは、大腸がんの発症の有無、病態の進行度を検出することを含む。
【００１３】
本発明者らは、抗ＣＤ９抗体と抗ＣＤ６３抗体の組み合わせからなる測定系により大腸がん患者の血液では健常人の血液よりも強いシグナル強度が得られることを既に見出していたが、健常人においてもある程度の強いシグナルが検出されるなどの問題があり、大腸がんの診断法としては問題があった。しかしながら、本発明においては、大腸がん細胞株のプロテオーム解析から、悪性度の高い大腸がん細胞から分泌されるエクソソームに特異的な抗原としてＣＤ１４７を同定することに成功した。さらに、本発明者らが鋭意検討した結果、このＣＤ１４７抗原に対する抗体と抗ＣＤ９抗体あるいは抗ＣＤ６３抗体を組み合わせることにより、健常人の測定値はばらつきが少なく偽陽性が検出されず、大腸がん患者のみからシグナルが検出されるという良好な結果が得られることを見出し、本発明を完成するに至った。
【００１４】
以下に、本発明における各工程について説明する。
【００１５】
工程Ａは、特定抗原に対するモノクローナル抗体又はその断片を用い、被験者に由来する体液試料中の該抗原を発現しているエクソソーム量を測定する工程である。
【００１６】
工程Ａで用いるモノクローナル抗体又はその断片としては、３種類のモノクローナル抗体又はその断片が挙げられる。具体的には、抗ＣＤ１４７モノクローナル抗体又はその断片、抗ＣＤ９モノクローナル抗体又はその断片、抗ＣＤ６３モノクローナル抗体又はその断片であり、少なくとも抗ＣＤ１４７モノクローナル抗体又はその断片を用いる。
【００１７】
本発明で用いるモノクローナル抗体又はその断片は、それぞれ特定抗原を認識するものであればよく、公知の方法に従って調製することができる。即ち、抗ＣＤ１４７モノクローナル抗体又はその断片はＣＤ１４７を認識し、抗ＣＤ９モノクローナル抗体又はその断片はＣＤ９を認識し、抗ＣＤ６３モノクローナル抗体又はその断片はＣＤ６３を認識するものであり、哺乳動物の免疫応答により調製してもよく、各抗原の配列情報に基づいて調製してもよい。
【００１８】
また、本発明では、抗ＣＤ９モノクローナル抗体及び抗ＣＤ６３モノクローナル抗体としては、前記モノクローナル抗体を産生するハイブリドーマとして、独立行政法人  製品評価技術基盤機構  特許微生物寄託センター(茨城県つくば市東１−１−１  つくばセンター中央第６)に下記受託番号のもとで寄託された細胞より得られるものを使用することもできる。
ＦＥＲＭ  ＢＰ−１１５１９(産生されるモノクローナル抗体がＣＤ９−１２Ａ１２抗体、表示ＣＤ９：１２Ａ１２、受託日２０１１年１１月８日）
ＦＥＲＭ  ＢＰ−１１５２０（産生されるモノクローナル抗体がＣＤ６３−８Ａ１２抗体、表示ＣＤ６３：８Ａ１２、受託日２０１１年１１月８日）
ＦＥＲＭ  ＢＰ−１１５２１（産生されるモノクローナル抗体がＣＤ６３−１３Ｃ８抗体、表示ＣＤ６３：１３Ｃ８、受託日２０１１年１１月８日）
【００１９】
本発明において「モノクローナル抗体断片」とは、前述するモノクローナル抗体の一部であって、当該モノクローナル抗体と同様にＣＤ９、ＣＤ６３又はＣＤ１４７に特異的な結合性を有する断片を意味する。ＣＤ９、ＣＤ６３又はＣＤ１４７に対して特異的結合性を有する断片とは、具体的には、Ｆａｂ、Ｆ（ａｂ’）２、Ｆａｂ’、一本鎖抗体（ｓｃＦｖ）、ジスルフィド安定化抗体（ｄｓＦｖ）、２量化体Ｖ領域断片（Ｄｉａｂｏｄｙ）、ＣＤＲを含むペプチド等を挙げることができる（エキスパート・オピニオン・オン・テラピューティック・パテンツ、第６巻、第５号、第４４１〜４５６頁、１９９６年）。
【００２０】
これらのモノクローナル抗体又はその断片は、例えば、以下の２つの態様で用いられる。
態様１：抗ＣＤ１４７モノクローナル抗体又はその断片を用いる態様
態様２：抗ＣＤ９モノクローナル抗体及びその断片、抗ＣＤ６３モノクローナル抗体又はその断片からなる群より選ばれる少なくとも１つと、抗ＣＤ１４７モノクローナル抗体又はその断片とを組み合わせて用いる態様
【００２１】
態様１では、エクソソーム上のＣＤ１４７を標識した抗ＣＤ１４７モノクローナル抗体又はその断片により認識して、ＣＤ１４７を発現しているエクソソームを定量することができる。抗ＣＤ１４７モノクローナル抗体又はその断片の標識化は、特に限定はなく、公知の方法に従って行うことができる。態様１のモノクローナル抗体又はその断片は、後述のウェスタンブロット法に好適に用いられる。
【００２２】
態様２では、エクソソーム上のＣＤ９及び／又はＣＤ６３とＣＤ１４７とを、これらのモノクローナル抗体又はその断片により認識して、ＣＤ９及び／又はＣＤ６３とＣＤ１４７が発現しているエクソソームを定量することができる。態様２では、抗ＣＤ１４７モノクローナル抗体又はその断片を固相抗体として、抗ＣＤ９モノクローナル抗体又はその断片を標識抗体として用いてもよい。あるいは、抗ＣＤ９モノクローナル抗体又はその断片を固相抗体として、抗ＣＤ１４７モノクローナル抗体又はその断片を標識抗体として用いてもよい。また、抗ＣＤ６３モノクローナル抗体又はその断片を固相抗体として、抗ＣＤ１４７モノクローナル抗体又はその断片を標識抗体として用いてもよい。あるいは、抗ＣＤ６３モノクローナル抗体又はその断片を標識抗体として、抗ＣＤ１４７モノクローナル抗体又はその断片を固相抗体として用いてもよい。また、抗ＣＤ９モノクローナル抗体又はその断片と抗ＣＤ６３モノクローナル抗体又はその断片を固相抗体として、抗ＣＤ１４７モノクローナル抗体又はその断片を標識抗体として用いてもよい。あるいは、抗ＣＤ９モノクローナル抗体又はその断片と抗ＣＤ６３モノクローナル抗体又はその断片を標識抗体として、抗ＣＤ１４７モノクローナル抗体又はその断片を固相抗体として用いてもよい。固相抗体及び標識抗体の調製は、特に限定はなく、公知の方法に従って行うことができる。態様２のモノクローナル抗体又はその断片は、後述のサンドイッチＥＬＩＳＡ法、エクソスクリーン法に好適に用いられる。
【００２３】
本発明における、エクソソーム量の測定用に供されるサンプルとしては、体液試料であれば限定はなく、例えば、血液、血清、血漿、尿、唾液、乳汁、鼻汁、脳脊髄液からなる群より選択されるものが例示される。
【００２４】
エクソソーム量の測定は、前記モノクローナル抗体又はその断片を用いる方法であればよく、例えば、ウェスタンブロット法、サンドイッチＥＬＩＳＡ法、エクソスクリーン法に従って行なうことができる。
【００２５】
ウェスタンブロット法では、例えば、態様１のモノクローナル抗体又はその断片を用いることができる。具体的には、大腸がん患者の血液を抗ＣＤ１４７モノクローナル抗体又はその断片を用いてウェスタンブロット法で解析することにより、大腸がん細胞に由来するエクソソーム上に存在するＣＤ１４７を検出することができる。
【００２６】
サンドイッチＥＬＩＳＡ法では、例えば、態様２のモノクローナル抗体又はその断片を用いることができる。具体的には、先ず、一種類のモノクローナル抗体又はその断片を固相抗体とし、エクソソームを含有するサンプルと接触させて複合体を形成させる。その後、そこに、別のモノクローナル抗体又はその断片を標識後添加して、さらなる複合体を形成させて標識を検出することにより、両抗体が認識する抗原を発現しているエクソソーム量を測定することができる。
【００２７】
エクソスクリーン法はＰｅｒｋｉｎＥｌｍｅｒ社が開発したＡｌｐｈａＬＩＳＡを応用したものである。本方法はエピトープの異なる２種類の抗体を用いて、片方の抗体はビオチン化を、もう片方にはＡｌｐｈａＬＩＳＡアクセプタービーズを結合させた抗体を用いて解析試料と反応させる。その後、ストレプトアビジンが結合したドナービーズを添加することで、ビオチン化抗体とドナービーズがストレプトアビジンを介して結合し、アクセプタービーズとドナービーズが隣接する。隣接した状態で(２００ｎｍ以内)、６８０ｎｍ励起により、ドナービーズから一重項酸素が発生し、アクセプタービーズに一重項酸素が到達すると６１５ｎｍの光を発してシグナルとして検出することができる。態様２のモノクローナル抗体又はその断片をこの方法を応用することで、１００ｎｍ程度の大きさであるエクソソームを解析試料として測定することができる。
【００２８】
かくして、体液試料中の標的タンパク質を含むエクソソーム量を測定することができる。得られたエクソソーム量を用いて、次の工程Ｂを行う。
【００２９】
工程Ｂは、工程Ａで得られたエクソソームのシグナル強度と、対照者におけるシグナル強度とを対比する工程であり、前記被験者におけるシグナル強度が対照者におけるシグナル強度より強いと認められる場合が、大腸がんの存在の指標となる。なお、本明細書において、対照者とは、大腸がんを発症していない者であれば良く、健常人が挙げられる。
【００３０】
対照者におけるシグナル強度は、対照者に由来する体液試料中のエクソソーム量であり、工程Ａで被験者のエクソソーム量を測定する際に併せて測定しても、別途測定してもよい。また、複数の対照者のエクソソーム量を測定し、その統計から対照者のエクソソーム量を設定してもよい。
【００３１】
対照者由来の体液試料としては、被験者由来の体液試料と同種の試料であることが好ましく、例えば、被験者由来の体液試料が血液である場合、対照者由来の体液試料も血液である。
【００３２】
被験者のシグナル強度と対照者のシグナル強度とを対比するには、被験者のエクソソーム量と対照者のエクソソーム量とを対比して解析すればよく、かかる方法としては、特に限定はなく、公知の方法(Steel法、t検定、Wilcoxon検定等)を用いることができる。前記解析により対照者のエクソソーム量に対する被験者のエクソソーム量がより有意に増加していることが示された場合は、被験者に大腸がんが存在している可能性が高いと判断される。
【００３３】
なお、前記抗体を用いて体液試料中に存在するエクソソームを検出することにより、大腸がんの存在可能性の有無を判断することができることから、本発明の一態様として、抗ＣＤ９モノクローナル抗体及びその断片、抗ＣＤ６３モノクローナル抗体及びその断片からなる群より選ばれる少なくとも１つと、抗ＣＤ１４７モノクローナル抗体又はその断片とによって認識されるエクソソームを、被験者に由来する体液試料中から検出することを特徴とする、大腸がん又は大腸がんの疑いの情報を提供する方法を挙げることができる。
【００３４】
また、前記解析において、対照者のエクソソーム量を被験者の術前のエクソソーム量に設定し、術後のエクソソーム量を被験者のエクソソーム量として対比することで、術後のエクソソーム量が減少していることが示された場合は、大腸がんが縮小又は減退している可能性が高いと判断することができる。
【００３５】
またさらに、前記解析において、例えば、被験者が大腸がんと診断された場合においては、対照者のエクソソーム量を被験者の治療前のエクソソーム量に設定し、治療後のエクソソーム量を被験者のエクソソーム量として対比することで、治療後のエクソソーム量が減少していることが示された場合は、当該治療が大腸がんの治療に有効である可能性が高いと判断することができる。従って、本発明はまた、大腸がんの治療を受ける前と受けた後において、前記モノクローナル抗体又はその断片を用いてエクソソーム由来のシグナルを測定し、治療後の値が治療前のそれより小さい場合に、当該治療が効果を有すると判断することを特徴とする評価方法を提供することができる。
【００３６】
また、本発明の別の態様では、大腸がんを検出するためのキットが提供される。
【００３７】
本発明のキットには、体液試料中のエクソソームを検出することができるものであれば全て含まれる。具体的には、前記エクソソーム表面に存在する抗原を認識できる抗体、即ち、抗ＣＤ１４７モノクローナル抗体又はその断片、抗ＣＤ９モノクローナル抗体又はその断片、抗ＣＤ６３モノクローナル抗体又はその断片を含有するキットが挙げられる。なかでも、これらの抗体又はその断片を用いる態様から、
態様１：抗ＣＤ１４７モノクローナル抗体又はその断片を含有する態様
態様２：抗ＣＤ９モノクローナル抗体及びその断片、抗ＣＤ６３モノクローナル抗体又はその断片からなる群より選ばれる少なくとも１つと、抗ＣＤ１４７モノクローナル抗体又はその断片とを組み合わせて含有する態様
が挙げられる。
【００３８】
これらのキットは、体液試料中のエクソソームを検出する際に抗体を用いる検出方法であれば(例えば、ウェスタンブロット法、ＥＬＩＳＡ法、エクソスクリーン法等)、用いることができる。なお、エクソソームが検出されるのであれば、エクソソーム以外のタンパク質も前記抗体により同時に検出されることがあってもよい。
【００３９】
本発明のキットを用いて、例えば、健常人と被験者の血液サンプル中に存在するエクソソーム量を測定して、両者の発現量に有意差が生じた場合には、被験者における大腸がんの発症の決定及び／又は診断を行うことができる。
【実施例】
【００４０】
以下、本発明を実施例に基づいて説明するが、実施例は本発明をより良く理解するために例示するものであって、本発明の範囲がこれらの実施例に限定されることを意図するものではない。【００４１】
試験例１（ＣＤ１４７抗体を用いた大腸がん細胞株由来エクソソームの検出）
ヒト大腸がん細胞株ＨＣＴ１１６（Ａｍｅｒｉｃａｎ  Ｔｙｐｅ  Ｃｕｌｔｕｒｅ  Ｃｏｌｌｅｃｔｉｏｎ）由来のエクソソームを用いたプロテオーム解析の結果を図１に示す。この結果から抽出した抗原ＣＤ１４７について、大腸がん細胞株由来エクソソームでの発現をマウス抗ヒトＣＤ１４７モノクローナル抗体（Ｎｏｖｕｓ  Ｂｉｏｌｏｇｉｃａｌｓ社製、クローンＭＥＭ−Ｍ６／１）によるウェスタンブロット法を用いて評価した。ヒト大腸がん細胞株としては、非常に悪性度の高いＨＣＴ１１６細胞と悪性度の低いＣａｃｏ２細胞（Ａｍｅｒｉｃａｎ  Ｔｙｐｅ  Ｃｕｌｔｕｒｅ  Ｃｏｌｌｅｃｔｉｏｎ）を用いて比較した。結果、悪性度の高いＨＣＴ１１６細胞株由来のエクソソームでＣＤ１４７の存在を確認することができ、悪性度の低いＣａｃｏ２細胞由来のエクソソームでは検出されなかった（図２）。【００４２】
次に、ビオチン化した抗ＣＤ１４７モノクローナル抗体（Ｎｏｖｕｓ  Ｂｉｏｌｏｇｉｃａｌｓ社製、クローンＭＥＭ−Ｍ６／１）とアクセプタービーズが結合した抗ＣＤ９モノクローナル抗体（受託番号ＦＥＲＭ  ＢＰ−１１５１９として寄託されているハイブリドーマにより産出されるモノクローナル抗体）を用いて、エクソスクリーン法により、各大腸がん細胞株由来のＣＤ９とＣＤ１４７が発現しているエクソソーム由来のシグナルを測定した。その結果、ウェスタンブロット法による結果と同様、悪性度の高いＨＣＴ１１６細胞株由来のエクソソームにおけるＣＤ１４７の発現が確認された（図３）。これらの結果より、一部の大腸がん細胞ではＣＤ１４７を発現するエクソソームを多く分泌していると推察される。【００４３】
試験例２（ＣＤ１４７抗体を用いた大腸がん患者血清由来エクソソームの検出１）
大腸がん患者血清５μＬ中のＣＤ９又はＣＤ６３を発現しており、かつＣＤ１４７を発現しているエクソソーム由来のシグナル強度をエクソスクリーン法によって検出した。エクソスクリーン法では、試験例１で用いたビオチン化した抗ＣＤ１４７モノクローナル抗体とアクセプタービーズが結合した抗ＣＤ６３モノクローナル抗体（受託番号ＦＥＲＭ  ＢＰ−１１５２０として寄託されているハイブリドーマにより産生されるモノクローナル抗体）もしくはアクセプタービーズが結合した前述の抗ＣＤ９モノクローナル抗体を用いた。大腸がん患者由来の血清１０例と健常人由来の血清１０例の解析を行ったところ、１０例中５例の患者由来の血清から高いシグナルが検出された。これらの解析においては、偽陰性率は５０％であったが、健常人の測定値のばらつきが小さく偽陽性もまったく見られず、大腸がん検査として優れていることが判明した（図４）。【００４４】
試験例３（ＣＤ１４７抗体を用いた大腸がん患者血清由来エクソソームの検出２）
試験例２と同様の方法で、さらに多くの大腸がん患者由来の血清と健常人由来の血清を用いて、ＣＤ９とＣＤ１４７を発現しているエクソソーム由来のシグナルを測定した（図５）。具体的には、大腸がん患者由来の血清１９４例と健常人由来の血清１９１例を用いた。【００４５】
次に、前記にてエクソソーム由来シグナルを測定した大腸がん患者由来の血清と同じ血清１９４例について、ＣＥＡ及びＣＡ１９−９の測定を行った。ＣＥＡ及びＣＡ１９−９の測定結果と、ＣＤ９とＣＤ１４７を発現しているエクソソーム由来のシグナルをエクソスクリーン法で測定した結果をまとめて図６に示す。【００４６】
図６より、ＣＥＡとＣＡ１９−９の測定結果を比較すると、ＣＥＡ陽性例６２例、ＣＡ１９−９陽性例３６例のうち、３３例が共通しており、この２つの方法では同じ大腸がん患者を高い相関性で検出できることが判る。一方、ＣＤ９とＣＤ１４７を発現しているエクソソーム由来のシグナルをエクソスクリーン法で測定した結果と、ＣＥＡとＣＡ１９−９の測定結果との間に相関は見られない。つまり、ＣＤ９とＣＤ１４７を発現しているエクソソーム由来のシグナルを用いた検査は、ＣＥＡあるいはＣＡ１９−９という公知の、大腸がん検査で汎用される項目と組み合わせることによって、異なる陽性例を見出すことが可能となって、より多くの大腸がん患者を診断できることが示唆される。【００４７】
また、図７Ａ、図７Ｂ、及び図７Ｃは、ＲＯＣ解析を行い、各測定方法の大腸がんの検出能を比較したものであり、ＡＵＣが１に近いほど検出能が高いことを示す。ＣＤ９とＣＤ１４７を発現しているエクソソーム由来のシグナルを用いた場合にはＡＵＣが０．８２０と、ＣＥＡやＣＡ１９−９のそれ（それぞれ０．６６９と０．６２２）より、はるかに大きいことが判明した。ＣＤ９とＣＤ１４７を発現しているエクソソーム由来のシグナルを用いた大腸がんの検査は、ＣＥＡやＣＡ１９−９よりも優れていることが示された。【００４８】
試験例４（手術前と手術後のシグナル強度の変化の解析）
Ｓｔａｇｅ  ＩとＩＩの大腸がん切除術を受けた１５名の患者由来の血清を用いて、手術前と手術後のＣＤ９とＣＤ１４７を発現しているエクソソーム由来のシグナルの変化を調べた（図８）。ＣＤ９とＣＤ１４７を発現しているエクソソーム由来のシグナルを用いた検査は、手術後や薬物投与後の追跡検査としても優れていることがわかった。
【産業上の利用可能性】
【００４９】
本発明の方法により、サンプル提供者が大腸がんを発症している可能性が高いか否かを判定することができる。これにより、サンプル提供者は癌の進行を阻止する手段を講じることができるため、有用である。
【図１】
2014167969.tif 000002
【図２】
2014167969.tif 000003
【図３】
2014167969.tif 000004
【図４】
2014167969.tif 000005
【図５】
2014167969.tif 000006
【図６】
2014167969.tif 000007
【図７Ａ】
2014167969.tif 000008
【図７Ｂ】
2014167969.tif 000009
【図７Ｃ】
2014167969.tif 000010
【図８】
2014167969.tif 000011
【国際調査報告】
2014167969.tif 000012
2014167969.tif 000013
2014167969.tif 000014
2014167969.tif 000015